【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
係数走査順序に従って第１の１次元係数ベクトルとして第１の２次元係数ブロックを再編成することと、ここにおいて、前記第１の２次元係数ブロックは、４×４の係数グループであり、前記第１の１次元係数ベクトルとして前記第１の２次元係数ブロックを再編成することが、復号情報に基づいており、前記復号情報が、イントラ予測モード、コーディングユニット（ＣＵ）レベルの拡張複数変換（ＥＭＴ）インデックス、変換ユニット（ＴＵ）レベルのＥＭＴインデックス、残差４分木深度、または量子化係数のうちの１つまたは複数を備える、
第２の１次元係数ベクトルを生成するために前記第１の１次元係数ベクトルに第１の逆変換を適用することと、前記第１の逆変換が、非分離可能変換である、
第２の２次元係数ブロックとして前記第２の１次元係数ベクトルを再編成することと、
残差ビデオブロックを生成するために前記第２の２次元係数ブロックに第２の逆変換を適用することと、前記第２の逆変換が、周波数領域からピクセル領域に前記第２の２次元係数ブロックを変換する、
復号ビデオブロックを形成することと、ここにおいて、前記復号ビデオブロックを形成することが、１つまたは複数の予測ブロックを前記残差ビデオブロックに加算することを備える、
を備える、方法。
【請求項２】
前記第１の２次元係数ブロックが、第１の４×４の係数ブロックであり、前記第１の１次元係数ベクトルが、１６×１の係数ベクトルであり、前記第２の２次元係数ブロックが第２の４×４の係数ブロックであり、前記方法が、
前記係数走査順序に従って前記第１の２次元係数ブロックを再編成すること、ここで、より小さいインデックス値をもつ前記第１の２次元係数ブロック中の係数が、前記第１の１次元係数ベクトル中でより小さい走査インデックス位置に配置される、
をさらに備える、請求項１に記載の方法。
【請求項３】
前記第１の１次元係数ベクトルに前記第１の逆変換を適用することが、前記第２の２次元係数ブロックの非ゼロ係数の量がしきい値よりも大きくないことに基づき、前記しきい値が、好ましくは、前記ビデオデータのブロックサイズ、イントラ予測モード、またはそれらの組合せごとに異なる、請求項１に記載の方法。
【請求項４】
前記第１の逆変換のインデックスを共有する複数の色成分の非ゼロ係数の総数の和、総絶対値和、または２乗値の和が前記しきい値よりも大きくないことに基づいて、前記第１の逆変換の前記インデックスが前記ビデオデータのビットストリーム中でシグナリングされると決定することと、
前記第１の逆変換の前記インデックスを備えるブロックレベルのシンタックス要素を復号することと、ここにおいて、前記インデックスが、前記複数の色成分の各々のために使用される、
前記第１の１次元係数ベクトルに前記第１の逆変換を適用することが、前記第１の逆変換の前記インデックスに基づいて、前記第１の１次元係数ベクトルに前記第１の逆変換を実行することを備える、
をさらに備える、請求項１に記載の方法。
【請求項５】
Ｍ×Ｎの係数ブロックを複数の重複しない４×４のサブブロックに分割することと、前記複数の重複しない４×４のサブブロックが、前記第１の２次元係数ブロックを含み、ＭおよびＮはそれぞれ、４よりも大きく、ＭおよびＮはそれぞれ、４の倍数であり、Ｍは、Ｎに等しくない、
前記複数の重複しない４×４のサブブロックの各４×４のサブブロックに対して、複数の２次元係数ブロックを生成するために前記第１の逆変換を実行することと、前記複数の２次元係数ブロックが、前記第２の２次元係数ブロックを含む、
をさらに備える、請求項１に記載の方法。
【請求項６】
前記第１の逆変換を適用することが、２次元変換行列に前記第１の１次元係数ベクトルを乗じることを備え、前記第１の２次元係数ブロックが、好ましくは、４×４のブロックであり、前記２次元変換行列が、ルーマイントラ予測モードとコーディングユニットレベルのインデックスとによって選択される１６×１６の非分離可能変換行列である、請求項１に記載の方法。
【請求項７】
ビデオデータを符号化するための方法であって、
残差ビデオブロックを形成することと、ここにおいて、前記残差ビデオブロックを形成することが、コーディングされているビデオブロックから１つまたは複数の予測ブロックを減算することを備える、
第１の２次元係数ブロックを生成するために前記残差ビデオブロックの少なくとも一部に第１の変換を適用することと、前記第１の変換が、ピクセル領域から周波数領域に前記残差ビデオブロックを変換する、
第１の１次元係数ベクトルとして前記第１の２次元係数ブロックを再編成することと、  第２の１次元係数ベクトルを生成するために前記第１の１次元係数ベクトルの少なくとも一部に第２の変換を適用することと、前記第２の変換が、非分離可能変換である、
係数走査順序に従って第２の２次元係数ブロックとして前記第２の１次元係数ベクトルを再編成することと
を備え、ここにおいて、前記第２の２次元係数ブロックが、４×４の係数グループであり、前記第２の２次元係数ブロックとして前記第２の１次元係数ベクトルを再編成することが、イントラ予測モード、コーディングユニット（ＣＵ）レベルの拡張複数変換（ＥＭＴ）インデックス、変換ユニット（ＴＵ）レベルのＥＭＴインデックス、残差４分木深度、または量子化係数のうちの１つまたは複数に基づく、方法。
【請求項８】
前記第１の２次元係数ブロックが、第１の４×４の係数ブロックであり、前記第２の１次元係数ベクトルが、１６×１の係数ベクトルであり、前記第２の２次元係数ブロックが第２の４×４の係数ブロックであり、前記方法が、
前記係数走査順序に従って前記第２の１次元係数ベクトルを再編成すること、ここで、より小さいインデックス値をもつ前記第２の１次元係数ベクトル中の係数が、前記第２の２次元係数ブロック中でより小さい走査インデックス位置に配置される、
をさらに備える、請求項７に記載の方法。
【請求項９】
前記第２の２次元係数ブロックの非ゼロ係数の量がしきい値よりも大きくないかどうかを決定すること、
ここにおいて、前記第１の２次元係数ブロックの少なくとも一部に前記第２の変換を適用することが、前記第２の２次元係数ブロックの非ゼロ係数の前記量が前記しきい値よりも大きくないと決定したことに応答しており、前記しきい値が、好ましくは、前記ビデオデータのブロックサイズ、イントラ予測モード、またはそれらの組合せごとに異なる、
をさらに備える、請求項７に記載の方法。
【請求項１０】
前記ビデオデータのビットストリーム中の前記第２の変換のインデックスを符号化すべきかどうかを決定すること、ここにおいて、前記第２の変換の前記インデックスが前記ビットストリーム中に符号化されないという決定が、前記第２の変換の前記インデックスを共有する複数の色成分の非ゼロ係数の総数の和、総絶対値和、または２乗値の和が前記しきい値よりも大きくないことに基づいて行われる、ここにおいて、
前記第２の変換の前記インデックスが、ブロックレベルでシグナリングされ、前記複数の色成分の間で共有される、
前記第１の２次元係数ブロックの少なくとも一部に前記第２の変換を適用することは、前記第２の変換の前記インデックスが前記ビットストリーム中でシグナリングされることに基づいて前記第１の２次元係数ブロックの少なくとも一部に前記第２の変換を実行することを備える、
をさらに備える、請求項７に記載の方法。
【請求項１１】
Ｍ×Ｎの係数ブロックを複数の重複しない４×４のサブブロックに分割することと、前記複数の重複しない４×４のサブブロックが、前記第１の２次元係数ブロックを含み、ＭおよびＮはそれぞれ、４よりも大きく、ＭおよびＮはそれぞれ、４の倍数であり、Ｍは、Ｎに等しくない、
前記複数の重複しない４×４のサブブロックの各４×４のサブブロックに対して、複数の２次元係数ブロックを生成するために前記第２の変換を実行することと、前記複数の２次元係数ブロックが、前記第２の２次元係数ブロックを含む、
をさらに備える、請求項７に記載の方法。
【請求項１２】
前記第２の変換を適用することが、２次元変換行列に前記第１の１次元係数ベクトルを乗じることを備え、前記第１の２次元係数ブロックが、好ましくは、４×４のブロックであり、前記２次元変換行列が、ルーマイントラ予測モードとコーディングユニットレベルのインデックスとによって選択される１６×１６の非分離可能変換行列である、請求項７に記載の方法。
【請求項１３】
ビデオデータを復号するための装置であって、
係数走査順序に従って第１の１次元係数ベクトルとして第１の２次元係数ブロックを再編成するための手段と、ここにおいて、前記第１の２次元係数ブロックは、４×４の係数グループであり、前記第１の２次元係数ブロックを再編成するための手段が、復号情報に基づいて前記第１の１次元係数ベクトルとして前記第１の２次元係数ブロックを再編成するための手段を備え、前記復号情報が、イントラ予測モード、コーディングユニット（ＣＵ）レベルの拡張複数変換（ＥＭＴ）インデックス、変換ユニット（ＴＵ）レベルのＥＭＴインデックス、残差４分木深度、または量子化係数のうちの１つまたは複数を備える、
第２の１次元係数ベクトルを生成するために前記第１の１次元係数ベクトルに第１の逆変換を適用するための手段と、前記第１の逆変換が、非分離可能変換である、
第２の２次元係数ブロックとして前記第２の１次元係数ベクトルを再編成するための手段と、
残差ビデオブロックを生成するために前記第２の２次元係数ブロックに第２の逆変換を適用するための手段と、前記第２の逆変換が、周波数領域からピクセル領域に前記第２の２次元係数ブロックを変換する、
復号ビデオブロックを形成するための手段と、ここにおいて、前記復号ビデオブロックを形成するための前記手段が、１つまたは複数の予測ブロックを前記残差ビデオブロックに加算するための手段を備える、
を備える、装置。
【請求項１４】
ビデオデータを符号化するための装置であって、
残差ビデオブロックを形成するための手段と、ここにおいて、前記残差ビデオブロックを形成することが、コーディングされているビデオブロックから１つまたは複数の予測ブロックを減算することを備える、
第１の２次元係数ブロックを生成するために前記残差ビデオブロックの少なくとも一部に第１の変換を適用するための手段と、前記第１の変換が、ピクセル領域から周波数領域に前記残差ビデオブロックを変換する、
第１の１次元係数ベクトルを生成するために前記第１の２次元係数ブロックを再編成するための手段と、
第２の１次元係数ベクトルを生成するために前記第１の１次元係数ベクトルの少なくとも一部に第２の変換を適用するための手段と、前記第２の変換が、非分離可能変換である、
係数走査順序に従って第２の２次元係数ブロックとして前記第２の１次元係数ベクトルを再編成するための手段と
を備え、ここにおいて、前記第２の２次元係数ブロックが、４×４の係数グループであり、前記第２の１次元係数ベクトルを再編成するための手段が、イントラ予測モード、コーディングユニット（ＣＵ）レベルの拡張複数変換（ＥＭＴ）インデックス、変換ユニット（ＴＵ）レベルのＥＭＴインデックス、残差４分木深度、または量子化係数のうちの１つまたは複数に基づいて、前記第２の２次元係数ブロックとして前記第２の１次元係数ベクトルを再編成するための手段を備える、装置。
【請求項１５】
命令を記憶する非一時的コンピュータ可読記憶媒体であって、前記命令が、実行されたとき、ビデオデータを復号するためのデバイスの１つまたは複数のプロセッサに、請求項１ないし６のいずれかに記載の方法を実行させる、非一時的コンピュータ可読記憶媒体。